(57)【特許請求の範囲】
【請求項１】
重金属で形成され一方側の面であって外部に露出する照射面に照射された放射線を遮蔽する遮蔽板と、
重金属で形成され前記照射面に立設された散乱抑制壁と、を備え、
前記散乱抑制壁は複数の小区画を形成するように配置されている、放射線遮蔽衝立。
【請求項２】
前記散乱抑制壁は前記遮蔽板に対して垂直であって厚みが一定である、請求項１に記載の放射線遮蔽衝立。
【請求項３】
前記散乱抑制壁は前記遮蔽板よりも厚みが薄い、請求項２に記載の放射線遮蔽衝立。
【請求項４】
前記小区画は多角形である、請求項１乃至３のうちいずれか一の項に記載の放射線遮蔽衝立。
【請求項５】
請求項１乃至４のうちいずれか一の項に記載の放射線遮蔽衝立の設計方法であって、
前記照射面の正面から外れた位置であって、前記照射面から放出される散乱放射線の線量を抑制しようとする基準位置を設定し、
設定した前記基準位置からは前記散乱抑制壁に遮られて前記照射面が見えなくなるように前記散乱抑制壁の高さを決定する、放射線遮蔽衝立の設計方法。
【発明の詳細な説明】
【技術分野】
【０００１】
本願は、放射線遮蔽衝立及びその設計方法に関する。
【背景技術】
【０００２】
X線などの放射線を製品に向かって水平に照射し、当該製品の検査を行う場合がある。このとき、製品の後ろに放射線を遮蔽する衝立（放射線遮蔽衝立）を設置すれば、照射した放射線が外部に漏れるのを抑制することができる（特許文献１参照）。
【先行技術文献】
【特許文献】
【０００３】
【特許文献１】特開２０２０−３３９６号公報
【発明の概要】
【発明が解決しようとする課題】
【０００４】
発明者らが、放射線遮蔽衝立を用いたところ、放射線遮蔽衝立よりも背面側では放射線の線量が減少する一方、放射線遮蔽衝立の正面だけでなく正面から外れる位置においても放射線の線量が増えるという結果となった。この結果について発明者らが検証したところ、放射線遮蔽衝立に放射線が入射することで散乱放射線が発生し、様々な方向にこの散乱放射線が放出されることが主な原因であることが判明した。
【０００５】
本願は、このような事情に鑑み、周辺の放射線の線量を抑制することができる放射線遮蔽衝立及びその設計方法を提供することを目的としている。
【課題を解決するための手段】
【０００６】
本願の一態様に係る放射線遮蔽衝立は、重金属で形成され一方側の面である照射面に照射された放射線を遮蔽する遮蔽板と、重金属で形成され前記照射面に立設された散乱抑制壁と、を備えている。
【０００７】
この構成によれば、照射面に放射線が照射されると照射面から散乱放射線が放出されるが、放出された散乱放射線の一部は、散乱抑制壁に衝突することになる。そして、散乱抑制壁に衝突した散乱放射線は、進行方向が限定されるとともに、その一部が散乱抑制壁に吸収される。その結果、放射線遮蔽衝立周辺の放射線の線量を抑制することができる。
【０００８】
本願の一態様に係る放射線遮蔽衝立の設計方法は、前記照射面の正面から外れた位置であって、前記照射面から放出される散乱放射線の線量を抑制しようとする基準位置を設定し、設定した前記基準位置からは前記散乱抑制壁に遮られて前記照射面が見えなくなるように前記散乱抑制壁の高さを決定する。
【０００９】
このように、基準位置から照射面が見えなくなるように散乱抑制壁の高さを決定すれば、基準位置に届く散乱放射線は抑制される。そのため、上記の設計方法で設計された放射線遮蔽衝立によれば、放射線遮蔽衝立周辺の基準位置における放射線の線量を抑制することができる。
【発明の効果】
【００１０】
上記の構成によれば、周辺の放射線の線量を抑制することができる放射線遮蔽衝立及びその設計方法を提供することができる。
【図面の簡単な説明】
【００１１】
【図１】図１は、放射線遮蔽衝立の前面図である。
【図２】図２は、放射線遮蔽衝立の平面図である。
【図３】図３は、散乱抑制壁を有しない放射線遮蔽衝立における散乱放射線のイメージ図である。
【図４】図４は、散乱抑制壁を有する放射線遮蔽衝立における散乱放射線のイメージ図である。
【図５】図５は、変形例に係る放射線遮蔽衝立の前面図である。
【図６】図６は、放射線遮蔽衝立の設計方法を説明する図である。
【発明を実施するための形態】
【００１２】
以下、実施形態に係る放射線遮蔽衝立１００について説明する。本実施形態に係る放射線遮蔽衝立１００は、例えば検査のために放射線が照射される検査対象物の後ろに配置され、照射された放射線を遮蔽して外部に放射線が漏洩するのを抑制する。
【００１３】
図１は放射線遮蔽衝立１００の前面図であり、図２は放射線遮蔽衝立１００の平面図である。図２の紙面下方が、放射線遮蔽衝立１００の前方である。図１及び図２に示すように、本実施形態に係る放射線遮蔽衝立１００は、遮蔽板１０と、散乱抑制壁２０と、を備えている。以下、これらの構成要素について説明する。
【００１４】
（遮蔽板）
はじめに、遮蔽板１０について説明する。遮蔽板１０は、照射された放射線を遮蔽する部材である。遮蔽板１０は、放射線が透過しにくい鉛などの重金属で形成されており、平板状の形状を有している。遮蔽板１０には脚１１が設けられており、この脚１１によって遮蔽板１０は床面に対して垂直に支持される。なお、放射線遮蔽衝立１００を移動させやすいように、脚１１にはキャスター等を設けてもよい。
【００１５】
また、遮蔽板１０の厚みは１．０ｍｍ以上であることが望ましい。遮蔽板１０の厚みを１．０ｍｍ以上とすることで、放射線を遮蔽することができる。さらに、遮蔽板１０の厚みは６．０ｍｍ以下であることが望ましい。遮蔽板１０の厚みを６．０ｍｍ以下とすることで、放射線遮蔽衝立１００全体の重量を抑制でき、放射線遮蔽衝立１００の移動を容易に行うことができる。
【００１６】
なお、遮蔽板１０は平板状に形成されているが、遮蔽板１０の形状はこれに限定されない。例えば、遮蔽板１０は、遮蔽板１０に向かって放射線を放出する放射線放出装置を中心とした円弧状に形成されていてもよい。また、遮蔽板１０は床に対して垂直に支持されているが、遮蔽板１０は傾斜するように支持されていてもよい。例えば、遮蔽板１０は、上端部分が下端部分よりも前方に位置するように支持されていてもよい。
【００１７】
本実施形態では遮蔽板１０の一方側の面（ここでは前面）を照射面１２とし、この照射面１２に放射線が照射される。照射面１２に放射線が照射されると、照射面１２から様々な方向に散乱放射線が放出される。つまり、照射面１２に放射線が照射されると、散乱放射線が照射面１２の正面以外にも放出される。その結果、照射面１２の正面から外れた位置においても、放射線の線量が増加する。なお、「照射面１２の正面から外れた位置」とは、照射面１２から延びるいずれの垂線とも交わらない位置をいう。
【００１８】
（散乱抑制壁）
次に、散乱抑制壁２０について説明する。散乱抑制壁２０は、照射面１２から放出される散乱放射線が広がるのを抑制する部材である。散乱抑制壁２０は、放射線が透過しにくい鉛などの重金属で形成されており、照射面１２に立設されている。散乱抑制壁２０は、接着剤やろう付けを用いて照射面１２に固定することができる。だだし、散乱抑制壁２０を照射面１２に立設する方法は特に限定されない。例えば、一枚の板材を折り曲げることにより、照射面１２と散乱抑制壁２０を形成し、これにより散乱抑制壁２０を照射面１２に立設するようにしてもよい。
【００１９】
本実施形態の散乱抑制壁２０は、複数の縦板部２１を有している。縦板部２１は板状に形成されており、互いに同じ形状を有している。また、各縦板部２１は、照射面１２に対して垂直に配置されているとともに、鉛直方向（図１の紙面上下方向）に延びている。
【００２０】
散乱抑制壁２０の厚み（すなわち各縦板部２１の厚み）は、例えば０．７ｍｍ以上６．０ｍｍ以下である。ただし、散乱抑制壁２０は遮蔽板１０よりも厚みが薄いことが望ましく、例えば遮蔽板１０の厚みの５０％以上９０％以下であることが望ましい。散乱抑制壁２０を薄くすることで、前方から見たときの散乱抑制壁２０の投影面積を小さくすることができる。その結果、散乱抑制壁２０の先端部等から放出される散乱放射線を抑制することができる。ただし、遮蔽板１０の照射面１２から放出された散乱放射線の透過を抑えるために、散乱抑制壁２０の厚みは０．７ｍｍ以上であることが望ましい。
【００２１】
図３は、散乱抑制壁２０を有しない放射線遮蔽衝立１００における散乱放射線のイメージ図である。また、図４は、散乱抑制壁２０を有する放射線遮蔽衝立１００における散乱放射線のイメージ図である。図３及び図４において、遮蔽板１０に向かう白抜き矢印は遮蔽板１０の照射面１２に照射された放射線を示しており、遮蔽板１０から延びる直線矢印は照射面１２から放出される散乱放射線を示している。
【００２２】
図３に示すように、放射線遮蔽衝立１００が散乱抑制壁２０を有しない場合は、照射面１２に放射線が照射されると、様々な方向に散乱放射線が放出される。そのため、照射面１２の正面だけでなく、照射面１２の正面から外れた位置にも散乱放射線が放出され、放射線遮蔽衝立１００の周辺の広い範囲で放射線の線量が増加する。これに対し、図４に示すように、放射線遮蔽衝立１００が散乱抑制壁２０を有している場合は、様々な方向に放出される散乱放射線の一部が散乱抑制壁２０に衝突することになる。そして、散乱抑制壁２０に衝突した散乱放射線は、進行方向が限定されるとともに、その一部が散乱抑制壁２０に吸収される。その結果、放射線遮蔽衝立１００周辺の放射線の線量を抑制することができる。
【００２３】
また、図１及び図２で示すように、散乱抑制壁２０は複数の小区画２３を形成するように配置されている。本実施形態では、隣り合う縦板部２１の間に鉛直方向に延びる小区画２３が形成されている。このように、散乱放射線が放出される領域を複数の小区画２３に分割することにより、各小区画２３内で散乱放射線の進行方向が限定されるとともに吸収される。その結果、効果的に放射線遮蔽衝立１００周辺の放射線の線量を抑制することができる。
【００２４】
図５は、変形例に係る放射線遮蔽衝立２００の前面図である。図５に示す放射線遮蔽衝立２００の散乱抑制壁２０は、縦板部２１に加え横板部２２を有している。これにより、小区画２３は矩形状に形成されている。なお、小区画２３は三角形状に形成してもよく、六角形状（ハニカム状）に形成してもよい。このように、小区画２３を多角形とすることで、各小区画２３を互いに同じような大きさでかつ容易に形成することができる。
【００２５】
（放射線遮蔽衝立の設計方法）
次に、放射線遮蔽衝立１００の設計方法、より詳しくは散乱抑制壁２０の高さの決定方法について説明する。図６は、放射線遮蔽衝立１００の設計方法を説明する図である。
【００２６】
本実施形態に係る放射線遮蔽衝立１００の設計方法では、はじめに基準位置Ａを設定する。基準位置Ａは、照射面１２の正面から外れた位置であって、照射面１２から放出される散乱放射線の線量を抑制しようとする位置である。例えば、放射線遮蔽衝立１００の周辺において何らかの作業を予定している場合は、その作業位置を基準位置Ａに設定する。
【００２７】
続いて、基準位置Ａを設定した後は、設定した基準位置Ａを基準にして散乱抑制壁２０の高さを決定する。具体的には、基準位置Ａからは散乱抑制壁２０に遮られて照射面１２が見えないように散乱抑制壁２０の高さを決定する（図６の破線を参照）。すなわち、基準位置Ａから照射面１２を見ようとしても、各縦板部２１に遮られて照射面１２が見えないように散乱抑制壁２０の高さを決定する。このとき、各散乱抑制壁２０の高さが全て同じとなるように決定してもよく、各散乱抑制壁２０の高さが、その散乱抑制壁２０の位置に応じて互いに異なるように決定してもよい。
【００２８】
このように散乱抑制壁２０の高さを決定すれば、基準位置Ａに届く散乱放射線は抑制される。そのため、上記の設計方法で設計された放射線遮蔽衝立１００によれば、放射線遮蔽衝立１００周辺の基準位置Ａにおける放射線の線量を抑制することができる。
【００２９】
（作用効果）
本実施形態に係る放射線照射衝立及びその設計方法は以上のとおりである。本実施形態に係る放射線遮蔽衝立は．重金属で形成され一方側の面である照射面に照射された放射線を遮蔽する遮蔽板と、重金属で形成され前記照射面に立設された散乱抑制壁と、を備えている。
【００３０】
この構成によれば、照射面に放射線が照射されると照射面から散乱放射線が放出されるが、放出された散乱放射線の一部は、散乱抑制壁に衝突することになる。そして、散乱抑制壁に衝突した散乱放射線は、進行方向が限定されるとともに、その一部が散乱抑制壁に吸収される。その結果、放射線遮蔽衝立周辺の放射線の線量を抑制することができる。
【００３１】
また、本実施形態に係る放射線遮蔽衝立では、前記散乱抑制壁は前記遮蔽板に対して垂直であって厚みが一定である。
【００３２】
この構成によれば、放射線の照射方向における散乱抑制壁の投影面積を小さくすることができる。これにより、散乱抑制壁自体に放射線が照射されるのを抑制でき、散乱抑制壁から散乱放射線が放出されるのを抑制することができる。
【００３３】
また、本実施形態に係る放射線遮蔽衝立では、前記散乱抑制壁は前記遮蔽板よりも厚みが薄い。
【００３４】
この構成によれば、遮蔽板の厚みを厚くすることで遮蔽板を透過する放射線の量を抑制することができる。また、散乱抑制壁の厚みを薄くすることで、散乱抑制壁の先端部等から放出される散乱放射線を抑制することができる。
【００３５】
また、本実施形態に係る放射線遮蔽衝立では、前記散乱抑制壁は複数の小区画を形成するように配置されている。
【００３６】
この構成によれば、散乱放射線が放出される領域を複数の小区画に分割することにより、各小区画内で散乱放射線の進行方向が限定され吸収される。その結果、効果的に放射線遮蔽衝立周辺の放射線の線量を抑制することができる。
【００３７】
また、本実施形態に係る放射線遮蔽衝立では、前記小区画は多角形である。
【００３８】
この構成によれば、各小区画を互いに同じような大きさでかつ容易に形成することができる。
【００３９】
本実施形態に係る放射線遮蔽衝立の設計方法は、前記照射面の正面から外れた位置であって、前記照射面から放出される散乱放射線の線量を抑制しようとする基準位置を設定し、設定した前記基準位置からは前記散乱抑制壁に遮られて前記照射面が見えなくなるように前記散乱抑制壁の高さを決定する。
【００４０】
このように、基準位置からは照射面が見えないように散乱抑制壁の高さを決定すれば、基準位置に届く散乱放射線は抑制される。そのため、上記の設計方法で設計された放射線遮蔽衝立によれば、放射線遮蔽衝立周辺の基準位置における放射線の線量を抑制することができる。
【符号の説明】
【００４１】
１０  遮蔽板
１１  脚
１２  照射面
２０  散乱抑制壁
２１  縦板部
２２  横板部
２３  小区画
１００  放射線遮蔽衝立
２００  放射線遮蔽衝立
Ａ  基準位置
【要約】
【課題】
周辺の放射線の線量を抑制することができる放射線遮蔽衝立を提供する。
【解決手段】
本願の一態様に係る放射線遮蔽衝立は、重金属で形成され一方側の面である照射面に照射された放射線を遮蔽する遮蔽板と、重金属で形成され前記照射面に立設された散乱抑制壁と、を備えている。
【選択図】図１【図１】
0006944035.tif 000002
【図２】
0006944035.tif 000003
【図３】
0006944035.tif 000004
【図４】
0006944035.tif 000005
【図５】
0006944035.tif 000006
【図６】
0006944035.tif 000007